(57)【要約】  【課題】  実行可能な機能の全容の把握が容易であり，かつ表示が煩雑とならない機能表示を行うこと。  【解決手段】  実行可能な複数の機能各々を表し各機能の選択に用いる複数のアイコンを表示部に一覧表示（Ｓ２）させる画像処理装置において，アイコンそれぞれの選択頻度を記録（Ｓ５）し，記録された選択頻度の高いアイコンを表示部に強調表示するよう表示形態情報を更新する（Ｓ７）。アイコンを表示部に一覧表示する場合，変更された表示形態情報に従って，アイコンの表示位置，色等を変更して表示する。【選択図】図２
2005102001.tif 000002
【特許請求の範囲】
【請求項１】
実行可能な複数の機能各々を表し各機能の選択に用いる複数の機能識別情報を一覧表示させる表示手段を具備する画像処理装置において，
前記機能識別情報それぞれの使用頻度を記録する使用頻度記録手段と，
前記使用頻度記録手段により記録された前記使用頻度に基づいて前記機能識別情報それぞれの前記表示手段への表示形態を変更する表示形態変更手段と，
を具備してなることを特徴とする画像処理装置。
【請求項２】
前記表示形態変更手段が，前記使用頻度の高い前記機能識別情報を前記表示手段に強調表示させてなる請求項１に記載の画像処理装置。
【請求項３】
前記表示形態変更手段が，前記機能識別情報の表示位置，表示サイズ，表示色，表示濃度及び点滅の有無のうちの１又は複数を変更することにより前記強調表示を行うものである請求項２に記載の画像処理装置。
【発明の詳細な説明】
【技術分野】
【０００１】
本発明は，実行可能な複数の機能各々を表し各機能の選択に用いる複数の機能識別情報を一覧表示させる表示手段を具備する画像処理装置に関するものである。
【背景技術】
【０００２】
従来，プリンタ，複写機，ファクシミリ装置，スキャナ或いはそれらの複合機等の画像処理装置には，液晶タッチパネル（液晶パネルとその表面に設けられた感圧センサが組み込まれた透明のタッチシートからなる表示操作部）等の表示操作手段が設けられ，その表示部（液晶パネル等）に実行可能な複数の機能各々を表し各機能の選択に用いる複数のアイコンやボタン，文字列等（機能識別情報の一例）を一覧表示させるものがある。利用者は，いずれかのアイコンを選択（タッチ操作）することにより，実行する機能を選択する。
ここで，画像処理装置が備える多くの機能に対応する全てのアイコン等を限られたスペースの表示部に一律に表示させると，表示が煩雑となって操作性が悪くなる。このため，実行可能な機能を階層的或いは関連する機能ごとに分類し，分類された１つの機能群に対応するアイコン等のみを１画面に一覧表示させ，機能群ごとに表示するアイコン等を切り替え可能に構成されることが一般的である。
また，例えば，特許文献１には，機器の実行条件に含まれる機能の全部又は一部を選択的に切り替えて表示させることにより，各実行条件に含まれる機能の設定内容の確認を容易とする画像記録装置の表示装置が提案されている。
【特許文献１】特開２００２−２００８３０号公報
【発明の開示】
【発明が解決しようとする課題】
【０００３】
しかしながら，従来の表示方式では，その装置で実行可能な機能のごく一部に対応するアイコン等（機能識別情報）しか一画面に表示されないため，その装置で実行可能な機能の全容を把握しにくいという問題点があった。このため，利用者が一部の実行可能な機能の存在に気付かず，その機能がほとんど実行されないことも生じる。
また，目的とする機能に対応するアイコン等の表示画面に到達するまでに，多くの画面切り替え操作が必要となり，操作が煩雑となるという問題点もあった。
一方，極力多くの機能に対応するアイコン等を一画面に一覧表示させれば上記問題は解消できるが，一律に多くのアイコン等を一覧表示させると，前述したように表示が煩雑となって操作性が悪くなるという問題が生じる。
従って，本発明は上記事情に鑑みてなされたものであり，その目的とするところは，実行可能な機能の全容の把握が容易であり，かつ表示が煩雑とならない表示手段を備えた画像処理装置を提供することにある。
【課題を解決するための手段】
【０００４】
上記目的を達成するために本発明は，実行可能な複数の機能各々を表し各機能の選択に用いる複数の機能識別情報を一覧表示させる表示手段を具備する画像処理装置において，前記機能識別情報それぞれの使用頻度を記録する使用頻度記録手段と，前記使用頻度記録手段により記録された前記使用頻度に基づいて前記機能識別情報それぞれの前記表示手段への表示形態を変更する表示形態変更手段と，を具備してなることを特徴とする画像処理装置として構成されるものである。
例えば，前記表示形態変更手段が，前記使用頻度の高い前記機能識別情報を前記表示手段に強調表示させるもの等である。
これにより，極力多くの機能に対応する前記機能識別情報（アイコン，ボタン，文字列等）を一画面に一覧表示することによって実行可能な機能の全容の把握が容易となるとともに，使用頻度（前記機能識別情報が選択されてその機能が実行された頻度）の高い機能に対応する前記機能識別情報については表示形態を変更すること（強調表示等）によって表示が煩雑となることを防止できる。
ここで，強調表示の方法としては，前記機能識別情報の表示位置，表示サイズ，表示色，表示濃度及び点滅の有無のうちの１又は複数を変更することが考えられる。
【発明の効果】
【０００５】
本発明によれば，実行可能な複数の機能各々を表し各機能の選択に用いる複数の機能識別情報を一覧表示させる表示手段を具備する画像処理装置において，前記機能識別情報それぞれの使用頻度を記録する使用頻度記録手段と，前記使用頻度記録手段により記録された前記使用頻度に基づいて前記機能識別情報それぞれの前記表示手段への表示形態を変更する表示形態変更手段と，を具備してなることを特徴とする画像処理装置として構成されるので，極力多くの機能に対応する前記機能識別情報（アイコン，ボタン，文字列等）を一画面に一覧表示することによって実行可能な機能の全容の把握が容易となるとともに，使用頻度（実行頻度）の高い機能に対応する前記機能識別情報については表示形態を変更すること（強調表示等）によって表示が煩雑となることを防止できる。
【発明を実施するための最良の形態】
【０００６】
以下添付図面を参照しながら，本発明の実施の形態について説明し，本発明の理解に供する。尚，以下の実施の形態は，本発明を具体化した一例であって，本発明の技術的範囲を限定する性格のものではない。
ここに，図１は本発明の実施の形態に係る画像処理装置Ｘの主要部の構成を表すブロック図，図２は画像処理装置Ｘにおける表示変更処理の手順を表すフローチャート，図３は画像処理装置Ｘにおける表示部への表示画面の一例を表す図である。
【０００７】
まず，図１を用いて，本発明の実施の形態に係る画像処理装置Ｘの構成について説明する。
本画像処理装置Ｘは，複写機能，スキャナ機能，プリンタ機能，及びネットワークを介したファクシミリ送受信（ネットワークファクシミリ）機能を有する複合機である。
図１に示すように，画像処理装置Ｘは，液晶パネル等からなる表示部１１と，該表示部１１（液晶パネル等）の表面に設けられた感圧センサが組み込まれた透明のタッチシートや２次元の赤外線センサ等からなる操作部１２と，原稿から画像を読み取るスキャナ部１３と，該スキャナ部１３で読み取られた原稿画像データやパーソナルコンピュータ等のホスト装置（不図示）から受信した印刷データ等の画像データ，さらにはネットワークを介して電子メールの添付ファイルデータとして受信されるファクシミリ受信画像データに従って所定の記録紙に画像形成を行う印字部１４と，複数の画像データ及びそれに関連する各種データを記憶するハードディスク等の不揮発性メモリからなるデータ記憶部１５と，当該画像処理装置Ｘ全体の各種制御及び演算を行うＣＰＵ１６と，該ＣＰＵ１６により実行される制御プログラムや演算プログラムが記憶されるＲＯＭ１７と，前記データ記憶部１５に記憶させる画像データの圧縮処理やその画像データを読み出す際のデータ伸長処理，前記印字部１４により出力する画像の拡大・縮小処理等の各種画像処理を行う画像処理部１８と，前記ホスト装置（不図示）との間でネットワークを介してＴＣＰ／ＩＰ等の通信プロトコルに従ってデータの送受信を行うネットワーク制御部１９と，前記表示部１１へのアイコンの表示形態に関する表示形態情報や前記操作部１２の操作により利用者が選択したアイコン（即ち，機能）の使用頻度の実績情報，前記ホスト装置それぞれとの通信に用いるアドレス情報等を記憶するＳＲＡＭ等の不揮発性メモリからなる制御情報記憶部２０とを具備している。
【０００８】
次に，図２のフローチャートを用いて，前記ＣＰＵ１６により実行される前記表示部１１への表示情報の表示変更処理の手順について説明する。以下，ＣＰＵ１６により実行される処理は，前記ＣＰＵ１６が前記ＲＯＭ１７に予め格納された所定のプログラムに従って実行するものである。また，Ｓ１，Ｓ２，…は処理手順（ステップ）の番号を表す。
まず，画像処理装置Ｘの電源が投入されると，前記ＣＰＵ１６は，前記制御情報記憶部２０から前記表示形態情報を読み出す（Ｓ１）。該表示形態情報には，当該画像処理装置Ｘが実行可能な複数の機能各々を表し各機能の選択に用いる複数のアイコン（前記機能識別情報の一例）それぞれについての前記表示部１１への表示形態に関する情報として，前記表示部１１のどの位置にどのような大きさ，色で表示するか等に関する情報が含まれる。前記表示形態情報は，当初は所定の初期値が設定されており，後述する更新処理（Ｓ７）において，前記ＣＰＵ１６により更新される。
次に，前記ＣＰＵ１６は，Ｓ１で読み出した前記表示形態情報に従って，当該画像処理装置Ｘが実行可能な全ての機能に対応する前記アイコンを前記表示部１１に一覧表示させる（Ｓ２）。
図３（ａ）は，前記表示形態情報が初期値であるときの前記表示部１１への前記アイコンの一覧表示画面の一例である。図中，「・・」で表す部分は，表示アイコンの図示を省略していることを表す。
図３（ａ）に示すように，前記表示形態情報が初期値であるときは，前記アイコン３０それぞれが一律に（同じ大きさ，同じ色等）一覧表示される。
ここで，例えば，「片面→片面」と表記されたアイコンは，原稿の片面の画像を用紙の片面に複写（印刷）する機能に対応し，「集約：２ｉｎ１」と表記されたアイコンは，２枚の原稿の画像を１枚の用紙に集約して縮小複写（印刷）する機能に対応する。
【０００９】
次に，前記ＣＰＵ１６は，前記操作部１２から，前記表示部１１に表示した前記アイコン３０のいずれかを選択する操作がなされたか否かをチェックする（Ｓ３）。
ここで，前記アイコン３０の選択がなされている場合は，前記ＣＰＵ１６は，選択された前記アイコン３０に対応する機能を実行する（Ｓ４）とともに，選択された前記アイコン３０の累積選択回数（累積使用回数）を表す前記使用頻度を１カウントアップして更新（Ｓ５）した後，Ｓ２へ戻って前述した処理を繰り返す。
前記使用頻度は，前述したように前記制御情報記憶部２０（前記使用頻度記録手段の一例）に記憶され，Ｓ５の処理により，前記アイコン３０（前記機能識別情報の一例）それぞれの前記使用頻度が前記制御情報記憶部２０（前記使用頻度記録手段の一例）に記憶（記録）される。また，前記使用頻度は，単に選択回数を１ずつカウントアップしたものに限らず，最近の選択回数をそれより過去の選択回数よりも高い重み付けをして加えたものとする等，各種の記録方法が考えられる。例えば，一定期間（例えば１日）ごとに，その一定期間内の選択回数と，それより以前の選択回数とをそれぞれ個別に記録し，前記一定期間の経過ごとに，該一定期間内の選択回数に高い重みをつけてそれより以前の選択回数と加重平均をとった値を前記使用頻度とする等である。
【００１０】
一方，前記ＣＰＵ１６は，Ｓ３において前記アイコン３０の選択がなされなかったと判別した場合，前記表示形態情報の更新タイミングであるか否かをチェックする（Ｓ６）。該更新タイミングであるか否かは，例えば，前回の更新タイミングから，予め設定された所定時間（１日（日付が変わった時点等），１週間，１ヶ月等）が経過したことや，前記アイコン３０の選択回数が所定回数に達したこと等によって判別することが考えられる。
ここで，前記ＣＰＵ１６は，前記更新タイミングではないと判別した場合は，そのままＳ１へ戻って前述した処理を繰り返すが，前記更新タイミングであると判別した場合は，前記使用頻度に基づく所定の規則に従って前記表示形態情報を更新（Ｓ７）した後，Ｓ１へ戻って前述した処理を繰り返す。
【００１１】
前記表示形態情報の更新規則は，前記使用頻度の高い前記アイコン３０（機能識別情報）を前記表示部１１に強調表示させる規則である。
例えば，前記アイコン３０をその前記使用頻度の大きさによって複数グループ（例えば，頻度「高」「中」「低」の３グループ）に分類し，最も前記使用頻度の高いグループに分類された前記アイコン３０については，最も大きな表示サイズで，目につきやすいカラー表示によって，前記表示部１１の表示位置の先頭側（例えば，左上側）から順に表示し，順次，前記使用頻度が低いグループに分類された前記アイコン３０ほど，その表示サイズを小さくし，表示色もより目立たない色として，前記表示部１１の表示位置の後尾側（例えば，右下側）に表示させる規則に従って，前記表示形態情報を更新すること等が考えられる。この他にも，前記アイコン３０（機能識別情報）の表示形態に関する前記表示形態情報に，表示濃度や点滅の有無に関する情報を含めることも考えられる。
これにより，前記ＣＰＵ１６（前記表示形態変更手段の一例）により，前記制御情報記憶部２０（前記使用頻度記録手段の一例）に記録（記憶）された前記使用頻度に基づいて前記表示形態情報が更新され，次回にＳ１及びＳ２の処理によって前記アイコン３０を前記表示部１１に一覧表示させた場合，前記アイコン３０（機能識別情報）それぞれの前記表示部１１への表示形態が前回の表示形態から変更される（即ち，使用頻度の高いアイコンが強調表示される）ことになる。
【００１２】
図３（ｂ）は，初期値からＳ７の処理により更新された前記表示形態情報に従って前記アイコン３０を前記表示部１１に一覧表示させた画面の一例である。
図３（ｂ）に示す画面例は，前記使用頻度が高かった前記アイコン３０（「片面→片面」）が他のアイコンよりも大きく先頭側（左上側）に表示され，前記使用頻度が低かった前記アイコン３０（「集約：８ｉｎ１」）が他のアイコンよりも小さく後尾側（右下側）に表示されている様子を表す。
このように，前記使用頻度に基づいて前記アイコン３０（機能識別情報）それぞれの前記表示部１１への表示形態を変更すれば，極力多くの機能（例えば全ての機能）に対応する前記アイコン３０等を一画面に一覧表示させることによって実行可能な機能の全容の把握が容易となるとともに，前記使用頻度（実行頻度）の高い機能に対応する前記アイコン３０が強調表示されて表示が煩雑となることを防止できる。
【産業上の利用可能性】
【００１３】
本発明は，液晶パネル等の表示装置を備えた装置への利用が可能である。
【図面の簡単な説明】
【００１４】
【図１】本発明の実施の形態に係る画像処理装置Ｘの主要部の構成を表すブロック図。
【図２】画像処理装置Ｘにおける表示変更処理の手順を表すフローチャート。
【図３】画像処理装置Ｘにおける表示部への表示画面の一例を表す図。
【符号の説明】
【００１５】
１１…表示部（表示手段）
１２…操作部
１３…スキャナ部
１４…印字部
１５…データ記憶部
１６…ＣＰＵ（表示形態変更手段）
１７…ＲＯＭ
１８…画像処理部
１９…ネットワーク制御部
２０…制御情報記憶部（使用頻度記録手段）
３０…アイコン（機能識別情報）
Ｓ１，Ｓ２，，，…処理手順（ステップ）
【図１】
2005102001.tif 000003
【図２】
2005102001.tif 000004
【図３】
2005102001.tif 000005